(57)【要約】【課題】薄型表示装置において、輸送時に受ける機械的衝撃などによる破損を防ぐことを目的とする。【解決手段】表示ユニットと、この表示ユニットを収納する外装ケースとを備え、かつ梱包箱に収容したときに梱包箱の上部および下部のコーナー部に分離して配置された上部コーナー部の緩衝材および下部コーナー部の緩衝材により前記外装ケースの上部および下部のコーナー部領域が保持される薄型表示装置であって、前記外装ケース５は、前記表示ユニット１ａの背面側を覆うように周縁部をねじ止めすることにより取り付けられるバックキャビネット７を備え、かつバックキャビネット７は、前記上部コーナー部の緩衝材２２と下部コーナー部の緩衝材２３との間の位置において、前記表示ユニット１ａに固定した。【選択図】図７
2015062041.tif 000002
【特許請求の範囲】
【請求項１】
平面型の表示パネルおよびその表示パネルに画像を表示するための駆動回路ブロックを有する表示ユニットと、この表示ユニットを収納する外装ケースとを備え、かつ梱包箱に収容したときに梱包箱の上部および下部のコーナー部に分離して配置された上部コーナー部の緩衝材および下部コーナー部の緩衝材により前記外装ケースの上部および下部のコーナー部領域が保持される薄型表示装置であって、前記外装ケースは、前記表示ユニットの背面側を覆うように周縁部をねじ止めすることにより取り付けられるバックキャビネットを備え、かつバックキャビネットは、前記上部コーナー部の緩衝材と下部コーナー部の緩衝材との間の位置において、前記表示ユニットに固定したことを特徴とする薄型表示装置。
【請求項２】
前記表示ユニットは、駆動回路ブロックの回路基板が取り付けられるフレームを有し、バックキャビネットは、前記上部コーナー部の緩衝材と下部コーナー部の緩衝材との間の位置において、前記表示ユニットのフレームに回路基板とともに固定したことを特徴とする請求項１に記載の薄型表示装置。
【発明の詳細な説明】
【技術分野】
【０００１】
本発明は、テレビジョン受像機やモニター装置に使用される液晶表示装置等の薄型表示装置に関するものである。
【背景技術】
【０００２】
液晶表示装置は、平面型の薄型表示装置として、一般家庭は勿論のこと、業務用として、需要が拡大している。
【０００３】
一般的に液晶表示装置は、平面型の液晶表示パネルの背面側に、面光源としてのバックライト装置を配置して表示モジュールを構成し、この表示モジュールを、フロントキャビネットとバックキャビネットからなる薄型の筐体の内部に収容することにより構成されている（特許文献１参照）。
【先行技術文献】
【特許文献】
【０００４】
【特許文献１】特開２００９−１３９４２６号公報
【発明の概要】
【発明が解決しようとする課題】
【０００５】
ところで、このような液晶表示装置においては、ＬＥＤを用いたバックライト装置の普及に伴い、より一層の薄型化が図られている。また、外観デザインの観点から、画像表示領域に比べ、フロントキャビネットの周縁部を狭くした狭額縁のデザイン形状の製品が増えてきている。
【０００６】
このように液晶表示装置などの薄型表示装置においては、従来に比べ、より一層薄型化が図られるとともに、狭額縁デザインの採用により、表示装置としての機械的な強度が弱くなる傾向にあり、輸送時に受ける機械的衝撃による破損が課題となってきている。
【０００７】
本発明はこのような現状に鑑みなされたもので、薄型表示装置において、輸送時に受ける機械的衝撃などによる破損を防ぐことを目的とするものである。
【課題を解決するための手段】
【０００８】
この課題を解決するために本発明は、平面型の表示パネルおよびその表示パネルに画像を表示するための駆動回路ブロックを有する表示ユニットと、この表示ユニットを収納する外装ケースとを備え、かつ梱包箱に収容したときに梱包箱の上部および下部のコーナー部に分離して配置された上部コーナー部の緩衝材および下部コーナー部の緩衝材により前記外装ケースの上部および下部のコーナー部領域が保持される薄型表示装置であって、前記外装ケースは、前記表示ユニットの背面側を覆うように周縁部をねじ止めすることにより取り付けられるバックキャビネットを備え、かつバックキャビネットは、前記上部コーナー部の緩衝材と下部コーナー部の緩衝材との間の位置において、前記表示ユニットに固定したことを特徴とする。
【発明の効果】
【０００９】
このような本発明によれば、薄型表示装置において、輸送時に受ける機械的衝撃による表示パネルなどの破損を防ぐことができる。
【図面の簡単な説明】
【００１０】
【図１】本発明の一実施の形態において、液晶表示装置の外観を示す斜視図
【図２】同液晶表示装置において、背面側から見た平面図
【図３】同液晶表示装置の全体構成の回路ブロックを示すブロック図
【図４】同液晶表示装置の回路ブロックの配置例を説明するためにバックキャビネットを取り除いて示す平面図
【図５】表示装置本体を梱包箱に収容している状態を示す斜視図
【図６】表示装置本体と緩衝材との位置関係を示す平面図
【図７】梱包した状態で表示装置本体を上下方向に切断した概略断面図
【図８】図７に示す要部の拡大断面図
【図９】図７に示す要部の拡大断面図
【発明を実施するための形態】
【００１１】
以下、本発明の一実施の形態による薄型表示装置について、液晶表示装置に使用する表示モジュールを例にとって図面を参照しながら説明する。
【００１２】
図１、図２は本発明の一実施の形態において、完成品である液晶表示装置の外観を示す図、図３は同液晶表示装置の全体構成の回路ブロックを示す図、図４は同液晶表示装置の回路ブロックの配置例を説明するためにバックキャビネットを取り除いて示す図である。
【００１３】
まず、図１、図２に示すように、表示装置本体１と、この表示装置本体１を立てた状態で保持するスタンド２とを有している。表示装置本体１は、平面型の表示パネルである液晶表示パネル３とバックライト装置４と表示パネルに画像を表示するための駆動回路ブロックとを有する表示ユニットを備え、その表示ユニットとともに表示装置本体１を構成する装置構成部品を樹脂成型品などからなる外装ケース５内に収容することにより構成されている。また、外装ケース５は、液晶表示パネル３の画像表示領域に対応するように開口部６ａを設けたフロントキャビネット６と、このフロントキャビネット６と組み合わせられて表示ユニットの背面側を覆うバックキャビネット７とから構成されている。前記外装ケース５のバックキャビネット７は、周縁部をビスによりねじ止めすることにより取り付けられている。図２において、７ａはねじ止め部である。
【００１４】
また、図３、図４に示すように、液晶表示装置全体の概略構成は、液晶表示パネル３に画像を表示する駆動回路を備えるとともに、バックライト装置４の点灯を制御する点灯制御回路を備えた信号処理回路ブロック８と、前記液晶表示パネル３、バックライト装置４および信号処理回路ブロック８に電源電圧を供給するための電源ブロック９と、テレビジョン放送を受信して前記信号処理回路ブロック８に受信信号を供給するチューナ１０と、音を出力するためのスピーカ１１とから構成され、前記信号処理回路ブロック８、電源ブロック９は、それぞれ回路基板に回路を構成する部品を搭載することにより構成されている。そして、前記信号処理回路ブロック８、電源ブロック９、チューナ１０などを搭載した回路基板は、バックライト装置４の背面とバックキャビネット７との間の空間に配置されるように取り付けられている。
【００１５】
なお、図４において、１ａは表示ユニットであり、液晶表示パネル３と、バックライト装置４と、液晶表示パネル３に画像を表示するための駆動回路ブロックを搭載した回路基板とから構成されている。この表示ユニット１ａにおいて、駆動回路ブロックを搭載した回路基板は、液晶表示パネル３とバックライト装置４を保持する金属製のフレーム１ｂに固定されている。
【００１６】
また、図４において、１２はＤＶＤプレーヤーなどの外部機器からの映像信号を液晶表示装置に入力するための外部信号入力端子で、信号処理回路ブロック８に搭載されている。
【００１７】
図５、図６は上記液晶表示装置の梱包方法を説明するための図であり、図５は表示装置本体を梱包箱に収容している状態を示す斜視図、図６は表示装置本体と緩衝材との位置関係を示す平面図、図７は梱包した状態で上下方向に切断した断面図である。
【００１８】
図５〜図７に示すように、表示装置本体１は、包装袋（図示せず）で覆った後、リモコンなどの付属品２０とともに、ダンボールからなる梱包箱２１に収容することにより梱包される。このとき、梱包箱２１の上部および下部のコーナー部には、上部コーナー部の緩衝材２２および下部コーナー部の緩衝材２３がそれぞれ分離して配置されている。また、上部中央部および下部中央部にも、前記緩衝材２２、２３とは分離した状態で緩衝材２４が配置されている。この緩衝材２２、２３、２４は、発泡スチロールを所定の形状に成形することにより得られる。
【００１９】
前記梱包箱２１の上部および下部のコーナー部に配置した緩衝材２２、２３により、図２、図４、図５に示すように、表示装置本体１の前記外装ケース５の上部および下部のコーナー部領域５ａ、５ｂ、５ｃ、５ｄが保持される。
【００２０】
図７に示すように、前記外装ケース５のバックキャビネット７は、前記表示装置本体１の表示ユニット１ａの背面側を覆うように周縁部をねじ止めすることにより取り付けられ、しかもバックキャビネット７は、前記上部コーナー部の緩衝材２２と下部コーナー部の緩衝材２３との間の位置において、前記表示ユニット１ａのフレーム１ｂにねじ止め部７ａにより固定されている。
【００２１】
図８は図７のＡ部の拡大断面図、図９は図７のＢ部の拡大断面図である。図８、図９に示すように、バックキャビネット７は、前記上部コーナー部の緩衝材２２と下部コーナー部の緩衝材２３との間の位置において、前記表示ユニット１ａのフレーム１ｂにねじ止め部７ａにより固定されるが、このとき表示ユニット１ａの回路基板１ｃとともにフレーム１ｂに固定されている。
【００２２】
ところで、本発明においては、図６、図７に示すように、前記外装ケース５は、前記表示ユニット１ａの背面側を覆うように周縁部をねじ止めすることにより取り付けられるバックキャビネット７を備え、かつバックキャビネット７は、前記上部コーナー部の緩衝材２２と下部コーナー部の緩衝材２３との間の位置において、前記表示ユニット１ａに固定している。これは、外装ケース５が狭額縁化されるに伴い、外装ケース５の周縁部の幅が狭くなって強度が低下し、またねじ止め部７ａを行うためのビス穴を開ける必要があるため、さらに強度が低下してしまう。
【００２３】
一方、図６、図７に示すように、前記外装ケース５は、前記表示ユニット１ａの背面側を覆うように周縁部をねじ止めすることにより取り付けられるバックキャビネット７を備え、かつバックキャビネット７は、前記上部コーナー部の緩衝材２２と下部コーナー部の緩衝材２３との間の位置において、前記表示ユニット１ａに固定することにより、外装ケース５が狭額縁化された場合であっても、表示装置本体１を変形させようとする応力に対して強度を向上させることができ、この結果、輸送途中で表示装置本体１が破損してしまうのを防止することができる。
【００２４】
このように本発明においては、薄型表示装置において、より一層の薄型化が図られるとともに、狭額縁デザインの採用により、機械的な強度が低下しても、輸送時に受ける機械的衝撃などによる破損を防ぐことができるという効果が得られる。
【産業上の利用可能性】
【００２５】
以上のように本発明によれば、輸送時における薄型表示装置の破損を防ぐ上で有用な発明である。
【符号の説明】
【００２６】
１  表示装置本体
１ａ  表示ユニット
１ｂ  フレーム
１ｃ  回路基板
３  液晶表示パネル
４  バックライト装置
５  外装ケース
６  フロントキャビネット
７  バックキャビネット
７ａ  ねじ止め部
８  信号処理回路ブロック
９  電源ブロック
２１  梱包箱
２２、２３、２４  緩衝材
【図１】
2015062041.tif 000003
【図２】
2015062041.tif 000004
【図３】
2015062041.tif 000005
【図４】
2015062041.tif 000006
【図５】
2015062041.tif 000007
【図６】
2015062041.tif 000008
【図７】
2015062041.tif 000009
【図８】
2015062041.tif 000010
【図９】
2015062041.tif 000011